(57)【要約】【課題】  複数の通信手段を実装する単一の携帯通信端末がユーザの手間をかけずに、着信転送先電話番号を登録可能とし、通信不可の通信手段に着信があった場合でも有効な通信手段を通して着信を行うことが可能なデュアル通信システムを提供する。【解決手段】  携帯通信端末１は携帯電話交換網１００に対してＷＬＡＮ通信手段１２の電話番号を登録する機能と、ＩＰ電話交換網２００に対して携帯電話通信手段１１の電話番号を登録する機能とを有している。携帯電話交換網１００は携帯通信端末１の携帯電話通信手段１１との間で通信不可な場合、予め登録されたＷＬＡＮ通信手段１２の電話番号に自動的に着信を転送し、ＩＰ電話交換網２００は携帯通信端末１のＷＬＡＮ通信手段１２との間の通信が不能な場合に、予め登録された携帯電話通信手段１１の電話番号に自動的に着信を転送する。【選択図】      図１
2006080706.tif 000002
【特許請求の範囲】
【請求項１】
各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末を含むデュアル通信システムであって、
前記ＷＬＡＮ通信手段の電話番号を携帯電話交換網に登録する機能と、前記携帯電話通信手段の電話番号をＩＰ（Ｉｎｔｅｒｎｅｔ  Ｐｒｏｔｏｃｏｌ）電話交換網に登録する機能とを前記携帯通信端末に有することを特徴とするデュアル通信システム。
【請求項２】
前記携帯電話交換網は、前記携帯電話通信手段が通信不可の時に前記携帯通信端末への着信を予め登録された前記ＷＬＡＮ通信手段の電話番号に転送し、
前記ＩＰ電話交換網は、前記ＷＬＡＮ通信手段が通信不可の時に前記携帯通信端末への着信を予め登録された前記携帯電話通信手段の電話番号に転送することを特徴とする請求項１記載のデュアル通信システム。
【請求項３】
前記携帯電話通信手段と前記ＷＬＡＮ通信手段とのうちの一方が通信不可の時に他方の通信手段を用いて転送先電話番号を登録することを特徴とする請求項１または請求項２記載のデュアル通信システム。
【請求項４】
前記携帯電話通信手段と前記ＷＬＡＮ通信手段とのうちの使用する通信手段に優先設定を行うことを特徴とする請求項１から請求項３のいずれか記載のデュアル通信システム。
【請求項５】
前記携帯電話通信手段と前記ＷＬＡＮ通信手段とのうちの未使用の通信手段をシャットオフすることを特徴とする請求項４記載のデュアル通信システム。
【請求項６】
各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末であって、
前記ＷＬＡＮ通信手段の電話番号を携帯電話交換網に登録する機能と、前記携帯電話通信手段の電話番号をＩＰ（Ｉｎｔｅｒｎｅｔ  Ｐｒｏｔｏｃｏｌ）電話交換網に登録する機能とを有することを特徴とする携帯通信端末。
【請求項７】
前記携帯電話通信手段が通信不可の時に自端末への着信を前記携帯電話交換網によって予め登録された前記ＷＬＡＮ通信手段の電話番号に転送し、
前記ＷＬＡＮ通信手段が通信不可の時に自端末への着信を前記ＩＰ電話交換網によって予め登録された前記携帯電話通信手段の電話番号に転送することを特徴とする請求項６記載の携帯通信端末。
【請求項８】
前記携帯電話通信手段と前記ＷＬＡＮ通信手段とのうちの一方が通信不可の時に他方の通信手段を用いて転送先電話番号を登録することを特徴とする請求項６または請求項７記載の携帯通信端末。
【請求項９】
前記携帯電話通信手段と前記ＷＬＡＮ通信手段とのうちの使用する通信手段に優先設定を行うことを特徴とする請求項６から請求項８のいずれか記載の携帯通信端末。
【請求項１０】
前記携帯電話通信手段と前記ＷＬＡＮ通信手段とのうちの未使用の通信手段をシャットオフすることを特徴とする請求項９記載の携帯通信端末。
【請求項１１】
各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末を含むデュアル通信システムに用いられるデュアル通信方法であって、前記携帯通信端末側に、前記ＷＬＡＮ通信手段の電話番号を携帯電話交換網に登録する処理と、前記携帯電話通信手段の電話番号をＩＰ（Ｉｎｔｅｒｎｅｔ  Ｐｒｏｔｏｃｏｌ）電話交換網に登録する処理とを有することを特徴とするデュアル通信方法。
【請求項１２】
前記携帯電話交換網が、前記携帯電話通信手段が通信不可の時に前記携帯通信端末への着信を予め登録された前記ＷＬＡＮ通信手段の電話番号に転送し、
前記ＩＰ電話交換網が、前記ＷＬＡＮ通信手段が通信不可の時に前記携帯通信端末への着信を予め登録された前記携帯電話通信手段の電話番号に転送することを特徴とする請求項１１記載のデュアル通信方法。
【請求項１３】
前記携帯電話通信手段と前記ＷＬＡＮ通信手段とのうちの一方が通信不可の時に他方の通信手段を用いて転送先電話番号を登録することを特徴とする請求項１１または請求項１２記載のデュアル通信方法。
【請求項１４】
前記携帯電話通信手段と前記ＷＬＡＮ通信手段とのうちの使用する通信手段に優先設定を行うことを特徴とする請求項１１から請求項１３のいずれか記載のデュアル通信方法。
【請求項１５】
前記携帯電話通信手段と前記ＷＬＡＮ通信手段とのうちの未使用の通信手段をシャットオフすることを特徴とする請求項１４記載のデュアル通信方法。
【発明の詳細な説明】
【技術分野】
【０００１】
本発明はデュアル通信システム、携帯通信端末及びそれらに用いるデュアル通信方法に関し、特に一つの端末において異なる通信方式でそれぞれ通信を行うためのデュアル通信システムに関する。
【背景技術】
【０００２】
従来、デュアル通信システムを実現する方法としては、携帯電話装置がＰＨＳ（Ｐｅｒｓｏｎａｌ  Ｈａｎｄｙ−ｐｈｏｎｅ  Ｓｙｓｔｅｍ）自営通信網に位置等録している時、このＰＨＳ自営通信網とＰＨＳ公衆通信網とＰＤＣ（Ｐｅｒｓｏｎａｌ  Ｄｉｇｉｔａｌ  Ｃｅｌｌｕｌａｒ）通信網とを含む統合通信網においてＰＤＣ通信網から携帯電話装置への着信要求が発生すると、着信電話番号をＰＤＣ電話番号からＰＨＳ自営電話番号に切り替えて転送する方法がある（例えば、特許文献１参照）。
【０００３】
また、他の方法としては、移動体通信端末に、ＰＨＳ無線基地局と無線接続することで一般電話回線網に端末として接続する第１の無線端末機能と、ＰＤＣ無線基地局と無線接続することで一般電話回線網に端末として接続する第２の無線端末機能と、第１の無線端末機能と第２の無線端末機能とを切り替える機能切替制御手段とを搭載する方法もある（例えば、特許文献２参照）。
【０００４】
さらに、別の方法としては、相手側とデュアル端末とを接続する第１通信システム（ＰＨＳ）及び第２通信システム（ＰＤＣ）に対してネットワークを共有させることで、デュアル端末が異なる通信方式でそれぞれ通信を行う方法もある（例えば、特許文献３参照）。
【０００５】
さらにまた、さらに別の方法としては、ＰＤＣ方式による通信を処理するＰＤＣ通信処理部と、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式による通信を処理するＷ−ＣＤＭＡ通信処理部とを移動体通信端末に備え、ＰＤＣ通信処理部がＰＤＣ基地局から起動要求を受信した時にその起動要求に応じてＷ−ＣＤＭＡ通信処理部に起動要求を通知する方法もある（例えば、特許文献４参照）。
【０００６】
【特許文献１】特開２０００−２３６５８１号
【特許文献２】特開平９−９３４８号
【特許文献３】特開２００２−１５９０６０号
【特許文献４】特開２００３−１６９３７９号
【発明の開示】
【発明が解決しようとする課題】
【０００７】
上述した従来のデュアル通信システムでは、デュアル通信を実現する方法として、上記の特許文献１〜４等がある。これらの技術は、いずれもＷ−ＣＤＭＡやＰＤＣ等のいわゆる携帯電話通信手段とＰＨＳ通信手段とのデュアル通信システムを対象としており、携帯通信端末側から電話番号を自動的に登録可能な仕組みが用意されておらず、携帯通信端末の複数の電話番号が事前に通信サービス事業者側でわかっていることを前提に実現されている。
【０００８】
よって、従来のデュアル通信システムでは、後述するようなＷＬＡＮ（Ｗｉｒｅｌｅｓｓ  Ｌｏｃａｌ  Ａｒｅａ  Ｎｅｔｗｏｒｋ）［ＩＰ（Ｉｎｔｅｒｎｅｔ  Ｐｒｏｔｏｃｏｌ）電話］通信手段のように、あとから通信事業者とサービスを契約して電話番号が決定するような場合には対応することができない。
【０００９】
また、従来のデュアル通信システムでは、あとから着信転送を実現するサービスとして従来から着信転送サービスがあるが、この着信転送サービスは、ある端末の着信を別の端末に転送するサービスであり、さらにその転送先電話番号をユーザが手動で設定するか、通信サービス事業者に申し込むといった手間が必要である。
【００１０】
そこで、本発明の目的は上記の問題点を解消し、複数の通信手段を実装する単一の携帯通信端末がユーザの手間をかけずに、着信転送先電話番号を登録することができ、通信不可の通信手段に着信があった場合でも有効な通信手段を通して着信を行うことができるデュアル通信システム、携帯通信端末及びそれらに用いるデュアル通信方法を提供することにある。
【課題を解決するための手段】
【００１１】
本発明によるデュアル通信システムは、各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末を含むデュアル通信システムであって、
前記ＷＬＡＮ通信手段の電話番号を携帯電話交換網に登録する機能と、前記携帯電話通信手段の電話番号をＩＰ（Ｉｎｔｅｒｎｅｔ  Ｐｒｏｔｏｃｏｌ）電話交換網に登録する機能とを前記携帯通信端末に備えている。
【００１２】
本発明による携帯通信端末は、各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末であって、
前記ＷＬＡＮ通信手段の電話番号を携帯電話交換網に登録する機能と、前記携帯電話通信手段の電話番号をＩＰ（Ｉｎｔｅｒｎｅｔ  Ｐｒｏｔｏｃｏｌ）電話交換網に登録する機能とを備えている。
【００１３】
本発明によるデュアル通信方法は、各々固有の電話番号を持つ携帯電話通信手段とＷＬＡＮ（Ｗｉｒｅｌｅｓｓ  Ｌｏｃａｌ  Ａｒｅａ  Ｎｅｔｗｏｒｋ）通信手段とが少なくとも実装された携帯通信端末を含むデュアル通信システムに用いられるデュアル通信方法であって、前記携帯通信端末側に、前記ＷＬＡＮ通信手段の電話番号を携帯電話交換網に登録する処理と、前記携帯電話通信手段の電話番号をＩＰ（Ｉｎｔｅｒｎｅｔ  Ｐｒｏｔｏｃｏｌ）電話交換網に登録する処理とを備えている。
【００１４】
すなわち、本発明のデュアル通信システムは、携帯電話通信手段とＷＬＡＮ（Ｗｉｒｅｌｅｓｓ  Ｌｏｃａｌ  Ａｒｅａ  Ｎｅｔｗｏｒｋ）［ＩＰ（Ｉｎｔｅｒｎｅｔ  Ｐｒｏｔｏｃｏｌ）電話］通信手段との２つの通信機能を持つ携帯通信端末において、電波状況等によって一方の通話手段が機能しない場合に、自動的にもう一方の通信手段を用いて通信を行えるようにしたことを特徴としている。
【００１５】
より具体的に説明すると、本発明のデュアル通信システムでは、携帯通信端末がそれぞれが異なる電話番号を持つ携帯電話通信手段とＷＬＡＮ通信手段との複数の通信手段を持ち、いずれかの通信手段を用いて音声通話等の通信を行っている。
【００１６】
携帯通信端末は携帯電話交換網に対してＷＬＡＮ通信手段の電話番号を登録する機能と、ＩＰ電話交換網に対して携帯電話通信手段の電話番号を登録する機能とを有している。携帯電話交換網は携帯通信端末の携帯電話通信手段との間で通信不可な場合、予め登録されたＷＬＡＮ通信手段の電話番号に自動的に着信を転送する。また逆に、ＩＰ電話交換網は携帯通信端末のＷＬＡＮ通信手段との間の通信が不能な場合に、予め登録された携帯電話通信手段の電話番号に自動的に着信を転送する。
【００１７】
上記のように、本発明のデュアル通信システムでは、携帯電話通信手段との通信が不能な場合に、自動的にＷＬＡＮ通信手段の電話番号に着信を転送することが可能となり、ＷＬＡＮ通信手段との通信が不能な場合に、自動的に携帯電話通信手段へ着信を転送することが可能となるので、どちらか一方の通信手段が機能していれば通信することが可能となる。
【００１８】
また、本発明のデュアル通信システムでは、携帯通信端末に対して発信を行う発信者が携帯電話通信手段とＷＬＡＮ通信手段との２つの電話番号を予め知っていなくても、どちらか一方の通信手段が機能していれば通信することが可能となる。
【発明の効果】
【００１９】
本発明は、以下に述べるような構成及び動作とすることで、複数の通信手段を実装する単一の携帯通信端末がユーザの手間をかけずに、着信転送先電話番号を登録することができ、通信不可の通信手段に着信があった場合でも有効な通信手段を通して着信を行うことができるという効果が得られる。
【発明を実施するための最良の形態】
【００２０】
次に、本発明の実施例について図面を参照して説明する。図１は本発明の一実施例によるデュアル通信システムの構成を示すブロック図である。図１において、本発明の一実施例によるデュアル通信システムは携帯通信端末１と、携帯電話基地局２と、携帯電話交換網１００と、ＷＬＡＮ（Ｗｉｒｅｌｅｓｓ  Ｌｏｃａｌ  Ａｒｅａ  Ｎｅｔｗｏｒｋ）［ＩＰ（Ｉｎｔｅｒｎｅｔ  Ｐｒｏｔｏｃｏｌ）電話］基地局３と、ＩＰ交換網２００と、ゲートウェイ４と、通信端末５とから構成されている。
【００２１】
携帯通信端末１は携帯電話通信手段１１と、ＷＬＡＮ通信手段１２とを有し、携帯電話通信手段１１によって携帯電話基地局２及び携帯電話交換網１００を通して他の通信端末５との間で通信することができる。また、携帯通信端末１はＷＬＡＮ通信手段１２によってＷＬＡＮ基地局３とＩＰ交換網２００とを介して、他の通信端末５との間で通信することができる。ゲートウェイ４は異種のネットワークを相互接続するためのもので、本実施例では、携帯電話交換網１００とＩＰ交換網２００とを相互接続するためにある。
【００２２】
携帯通信端末１は、それぞれが異なる電話番号を持つ携帯電話通信手段１１とＷＬＡＮ通信手段１２との複数の通信手段を持ち、いずれかの通信手段を用いて音声通話等の通信を行う。携帯通信端末１は携帯電話交換網１００に対してＷＬＡＮ通信手段１２の電話番号を登録する機能と、ＩＰ電話交換網２００に対して携帯電話通信手段１１の電話番号を登録する機能とを有している。
【００２３】
携帯電話交換網１００は携帯通信端末１の携帯電話通信手段１１との間で通信不可な場合、予め登録されたＷＬＡＮ通信手段１２の電話番号に自動的に着信を転送する。また逆に、ＩＰ電話交換網２００は携帯通信端末１のＷＬＡＮ通信手段１２との間の通信が不能な場合に、予め登録された携帯電話通信手段１１の電話番号に自動的に着信を転送する。
【００２４】
このように、本実施例では、携帯電話通信手段１１との通信が不能な場合に、自動的にＷＬＡＮ通信手段１２の電話番号に着信を転送することができ、またＷＬＡＮ通信手段１２との通信が不能な場合に、自動的に携帯電話通信手段１１へ着信を転送することができるので、どちらか一方の通信手段が機能していれば、相手先と通信することができる。また、本実施例では、携帯通信端末１に対して発信を行う発信者が携帯電話通信手段１１とＷＬＡＮ通信手段１２との２つの電話番号を予め知っていなくても、どちらか一方の通信手段が機能していれば通信することができる。
【００２５】
図２は本発明の一実施例によるデュアル通信システムの動作を示すシーケンスチャートである。これら図１及び図２を参照して本発明の一実施例によるデュアル通信システムの動作について説明する。
【００２６】
転送先電話番号登録シーケンスを行う場合（図２のａ１）、携帯通信端末１の携帯電話通信手段１１はＷＬＡＮ通信手段１２の電話番号（Ｅｘ．０５０番号）を取得し（図２のａ２）、その電話番号を携帯電話交換網１００に登録する（図２のａ３）。また、ＷＬＡＮ通信手段１２は携帯電話通信手段１１が持つ電話番号（Ｅｘ．０９０番号）を取得し（図２のａ４）、その電話番号をＩＰ電話交換網２００に登録する（図２のａ５）。
【００２７】
携帯電話交換網１００からＩＰ電話交換網２００への着信転送シーケンスの場合（図２のａ６）、他の通信端末５から携帯通信端末１の携帯電話通信手段１１の電話番号に対する発呼があった時（図２のａ７）、電波状況等の要因によって携帯通信端末１の携帯電話通信手段１１が着信不可であれば、上記のａ３の処理で予め登録されている携帯通信端末１のＷＬＡＮ通信手段１２の電話番号へ着信を転送する（図２のａ８）。
【００２８】
携帯電話交換網１００からＩＰ電話交換網２００への着信転送信号は、異なる交換網を相互接続するためのゲートウェイ４を介して送られる。携帯通信端末１のＷＬＡＮ通信手段１２の電話番号の着信要求を受けたＩＰ電話交換網２００は、携帯通信端末１のＷＬＡＮ通信手段１２に対して着信を送信する（図２のａ９）。
【００２９】
ＩＰ電話交換網２００から携帯電話交換網１００への着信転送シーケンスの場合（図２のａ１０）、他の通信端末５から携帯通信端末１のＷＬＡＮ通信手段１２の電話番号に対する発呼があった時（図２のａ１１）、電波状況等の要因によって携帯通信端末１のＷＬ通信手段１２が着信不可であれば、上記のａ５の処理で予め登録されている携帯通信端末１の携帯電話通信手段１１の電話番号へ着信を転送する（図２のａ１２）。
【００３０】
ＩＰ電話交換網２００から携帯電話交換網１００への着信転送信号は、異なる交換網を相互接続するためのゲートウェイ４を介して送られる。携帯通信端末１の携帯電話通信手段１１の電話番号の着信要求を受けた携帯電話交換網１００は、携帯通信端末１の携帯電話通信手段１１に対して着信を送信する（図２のａ１３）。
【００３１】
このように、本実施例では、どちらか一方の通信手段が通信不可の状況において、もう一方の通信手段へ着信を自動的に転送することができるので、携帯通信端末１に対して発呼する側が、携帯通信端末１が持つ２つの電話番号を予め知っておく必要がない。つまり、本実施例では、どちらか一方の通信手段が通信不可の状況において、もう一方の通信手段へ着信を自動的に転送することができるので、通信ができないといった事態を軽減することができる。
【００３２】
また、本実施例では、携帯電話交換網１００及びＩＰ電話交換網２００に対して転送先の電話番号を自動的に設定しているので、ユーザの手間を軽減し、設定誤りを防止することができる。
【００３３】
図３は本発明の他の実施例によるデュアル通信システムの動作を示すシーケンスチャートである。本発明の他の実施例によるデュアル通信システムの構成は、図１に示す本発明の一実施例によるデュアル通信システムと同様の構成となっている。これら図１及び図３を参照して本発明の他の実施例によるデュアル通信システムの動作について説明する。
【００３４】
携帯電話通信手段１１が通信不可の時に転送先電話番号登録シーケンスを行う場合（図３のｂ１）、携帯通信端末１は携帯電話通信手段１１が電波状況等によって通信不可の状態において、携帯電話通信手段１１を通じて携帯電話交換網３に転送先電話番号（ＷＬＡＮ通信手段１２の電話番号）を登録することができないため、ＷＬＡＮ通信手段１２からＩＰ電話交換網２００を通じて携帯電話交換網１００に転送先電話番号（Ｅｘ．０５０番号）を登録する（図３のｂ２）。
【００３５】
また逆に、ＷＬＡＮ通信手段１２が通信不可の時に転送先電話番号登録シーケンスを行う場合（図３のｂ３）、携帯通信端末１はＷＬＡＮ通信手段１２が通信不可の状態において、ＷＬＡＮ通信手段１２を通してＩＰ電話交換網２００に転送先電話番号（携帯電話番号）を登録することができないため、携帯電話通信手段１１から携帯電話交換網１００を通してＩＰ電話交換網２００に転送先電話番号を登録する（図３のｂ４）。
【００３６】
このように、本実施例では、一方の通信手段が通信不可の場合でも、もう一方の通信手段を用いて転送先電話番号を登録することができるようにしているので、転送先電話番号が登録できないという事態を避けることができる。
【００３７】
図４〜図６は本発明の別の実施例によるデュアル通信システムの動作を示すシーケンスチャートである。本発明の別の実施例によるデュアル通信システムの構成は、図１に示す本発明の一実施例によるデュアル通信システムと同様の構成となっている。これら図１及び図４〜図６を参照して本発明の一実施例によるデュアル通信システムの動作について説明する。本実施例では、携帯通信端末１において、使用する通信手段の優先順位を設定できるようにし、図４においては予め携帯通信端末１がＷＬＡＮ通信手段１２を優先使用するよう設定されている場合を示している。
【００３８】
転送先電話番号登録シーケンスを行う場合（図４のｃ１）、携帯通信端末１の携帯電話通信手段１１はＷＬＡＮ通信手段１２の電話番号（Ｅｘ．０５０番号）を取得し（図４のｃ２）、その電話番号を携帯電話交換網１００に登録する（図４のｃ３）。また、ＷＬＡＮ通信手段１２は携帯電話交換網１００から電話番号（Ｅｘ．０９０番号）を取得し（図４のｃ４）、その電話番号をゲートウェイ４に登録する（図４のｃ５）。転送先電話番号の登録が終わると、携帯通信端末１は非優先設定となっている携帯電話通信手段１１をシャットオフする（図４のｃ６）。
【００３９】
これ以降、本実施例では、上述した本発明の一実施例と同様に、携帯電話通信手段１１への着信を携帯電話交換網１００に登録されている情報を基にＷＬＡＮ通信手段１２の方へ転送する（図５のｃ７〜ｃ１０）。ここで、携帯通信端末１のＷＬＡＮ通信手段１２が通信不可を検出すると（図５のｃ１１）、携帯電話通信手段１１を起動する（図５のｃ１２）。
【００４０】
携帯電話通信手段１１は正常に起動したら起動完了通信を返し（図５のｃ１３，ｃ１４）、ＷＬＡＮ通信手段１２がシャットオフする（図５のｃ１５）。これ以降、ＷＬＡＮ通信手段１２への着信はＩＰ電話交換網２００に登録された情報によって、携帯電話通信手段１１のほうに転送される（図６のｃ１６〜ｃ１９）。
【００４１】
このように、本実施例では、使用する通信手段の優先順位を設定可能としているので、通信コストの安い方がよいとか、通信品質の高い方がよいとか等、ユーザが所望する通信手段を基本的に優先して利用することができる。また、本実施例では、未使用の通信手段をシャットオフしているので、携帯通信端末１の消費電力を、両方の通信手段が起動している時よりも小さくすることができる。
【図面の簡単な説明】
【００４２】
【図１】本発明の一実施例によるデュアル通信システムの構成を示すブロック図である。
【図２】本発明の一実施例によるデュアル通信システムの動作を示すシーケンスチャートである。
【図３】本発明の他の実施例によるデュアル通信システムの動作を示すシーケンスチャートである。
【図４】本発明の別の実施例によるデュアル通信システムの動作を示すシーケンスチャートである。
【図５】本発明の別の実施例によるデュアル通信システムの動作を示すシーケンスチャートである。
【図６】本発明の別の実施例によるデュアル通信システムの動作を示すシーケンスチャートである。
【符号の説明】
【００４３】
１  携帯通信端末
２  携帯電話基地局
３  ＷＬＡＮ基地局
４  ゲートウェイ
５  通信端末
１１  携帯電話通信手段
１２  ＷＬＡＮ通信手段
１００  携帯電話交換網
２００  ＩＰ交換網
【図１】
2006080706.tif 000003
【図２】
2006080706.tif 000004
【図３】
2006080706.tif 000005
【図４】
2006080706.tif 000006
【図５】
2006080706.tif 000007
【図６】
2006080706.tif 000008